(57)【要約】      （修正有）【課題】コンクリート製品を段積み保管状態から面倒な作業を経ることなく直ちにクレーン等のフックを引っ掛けて吊り上げることを可能にする。【解決手段】コンクリート製品の外面または内面の所定箇所に凹部を設け、凹部に橋架けするように且つ凹部が設けられた外面または内面から外方または内方に突出しないように吊り金具をコンクリート製品打設時に一体に埋設固定した吊り構造である。一例として、ハンドホールベース２０の内面角部の少なくとも対角線上の２箇所にある面取り部２２に、高さ方向に長い凹部２３を形成し、埋設固定した吊り金具２４にフック１０を掛止して吊り上げや運搬を可能にする。【選択図】図１０
0003115186.tif 000002
【実用新案登録請求の範囲】
【請求項１】
コンクリート製品の外面または内面の所定箇所に凹部を設け、該凹部に橋架けするように且つ該凹部が設けられた外面または内面から外方または内方に突出しないように吊り金具をコンクリート製品打設時に一体に埋設固定してなることを特徴とするコンクリート製品の吊り構造。
【請求項２】
吊り金具が頂点に屈曲部を備え、該屈曲部の両端から各々脚部が下方に向かうにつれて徐々に離れる末広がり状に延長してその下端に台座を備えて一体的に形成されており、脚部及び台座は凹部の両側のコンクリート内に埋設され、屈曲部のみが実質的に橋架け状態で凹部内に露出していることを特徴とする、請求項１記載のコンクリート製品の吊り構造。
【請求項３】
吊り金具の脚部は凹部の深さより大きい長さ寸法を有することを特徴とする、請求項２記載のコンクリート製品の吊り構造。
【請求項４】
凹部は、長手方向断面においては少なくとも両角部が湾曲面形状を有し、幅方向断面においては底に向けて溝幅が狭くなる略台形形状を有することを特徴とする、請求項１ないし３のいずれか記載のコンクリート製品の吊り構造。
【請求項５】
コンクリート製品の上面または底面の対角線上にある少なくとも一対の角部に該対角線上に長手方向を有する凹部が形成され、該凹部の長手方向の少なくとも一端の溝底角部が湾曲状に形成されることを特徴とする、請求項１ないし４のいずれか記載のコンクリート製品の吊り構造。
【請求項６】
ボックス状のコンクリート製品の内面の対角線上にある少なくとも一対の角部の面取り部に高さ方向に長手方向を有する凹部が形成され、該凹部の少なくとも下端の溝底角部が湾曲状に形成されることを特徴とする、請求項１ないし４のいずれか記載のコンクリート製品の吊り構造。
【請求項７】
コンクリート製品の上面または底面の対角線上にある少なくとも一対の角部に該対角線上に長手方向を有する凹部が形成されることを特徴とする、請求項１ないし６のいずれか記載のコンクリート製品の吊り構造。
【考案の詳細な説明】
【技術分野】
【０００１】
本発明はハンドホール等の地中埋設箱その他のコンクリート製品に関し、より詳しくは、該コンクリート製品をクレーン等で吊り上げ運搬することを可能にしたコンクリート製品の吊り構造に関する。
【背景技術】
【０００２】
コンクリート製品の打設時に一体に定着部材を埋設固定しておき、この定着部材に対して吊部材を係合して、該吊部材のリングにクレーン等のフックを引っ掛けてコンクリート製品を吊り上げるようにしたものが知られている（特許文献１）。
【特許文献１】特開２００４−３２３２３５号公報
【０００３】
また、非特許文献１に記載されりょうに、フォーマーを用いてアンカーをコンクリート製品の打設時に一体に埋設固定し、このアンカーにカップラージョイントさせてフックで吊り上げるようにしたものも提案されている。
【非特許文献１】太平洋マテリアル株式会社ホームページ、デハシステム（コンクリート製品吊り具）、平成１６年１２月８日検索、インターネット＜ＵＲＬ：http://www.taiheiyo-m.co.jp/top/abstruct.php3?S_ID=123＞
【考案の開示】
【考案が解決しようとする課題】
【０００４】
特許文献１に記載されるような従来技術によると、吊部材を定着部材に係合させた状態にしてクレーン等のフックを掛止してコンクリート製品を吊り上げることができるが、この状態では吊部材がコンクリート製品の上面に突出しているので、コンクリート製品を段積みにして保管する際には吊部材を外した状態にしておく必要がある。このため、吊り上げ時に必要とされる吊部材の定着部材に対する係合作業が面倒であり、吊部材の紛失の可能性も高い。
【０００５】
特許文献２及び特許文献３に記載の各部材を用いる従来技術においても同様の問題があり、また、専用のアンカー及びカップラーを必要とするため汎用性に欠け、コストも高くつく。
【０００６】
そこで本考案は、従来技術における上記問題に鑑み、コンクリート製品を段積み保管状態から面倒な作業を経ることなく直ちにクレーン等のフックを引っ掛けて吊り上げることを可能にした新規な構成のコンクリート製品の吊り構造を提供することを目的とする。
【課題を解決するための手段】
【０００７】
上記の目的を達成するため、請求項１にかかる本考案は、コンクリート製品の外面または内面の所定箇所に凹部を設け、該凹部に橋架けするように且つ該凹部が設けられた外面または内面から外方または内方に突出しないように吊り金具をコンクリート製品打設時に一体に埋設固定してなることを特徴とするコンクリート製品の吊り構造である。
【０００８】
請求項２にかかる本考案は、請求項１記載のコンクリート製品の吊り構造において、吊り金具が頂点に屈曲部を備え、該屈曲部の両端から各々脚部が下方に向かうにつれて徐々に離れる末広がり状に延長してその下端に台座を備えて一体的に形成されており、脚部及び台座は凹部の両側のコンクリート内に埋設され、屈曲部のみが実質的に橋架け状態で凹部内に露出していることを特徴とする。
【０００９】
請求項３にかかる本考案は、請求項２記載のコンクリート製品の吊り構造において、吊り金具の脚部は凹部の深さより大きい長さ寸法を有することを特徴とする。
【００１０】
請求項４にかかる本考案は、請求項１ないし３のいずれか記載のコンクリート製品の吊り構造において、凹部は、長手方向断面においては少なくとも両角部が湾曲面形状を有し、幅方向断面においては底に向けて溝幅が狭くなる略台形形状を有することを特徴とする。
【００１１】
請求項５にかかる本考案は、請求項１ないし４のいずれか記載のコンクリート製品の吊り構造において、コンクリート製品の上面または底面の対角線上にある少なくとも一対の角部に該対角線上に長手方向を有する凹部が形成され、該凹部の長手方向の少なくとも一端の溝底角部が湾曲状に形成されることを特徴とする。
【００１２】
請求項６にかかる本考案は、請求項１ないし４のいずれか記載のコンクリート製品の吊り構造において、ボックス状のコンクリート製品の内面の対角線上にある少なくとも一対の角部の面取り部に高さ方向に長手方向を有する凹部が形成され、該凹部の少なくとも下端の溝底角部が湾曲状に形成されることを特徴とする。
【００１３】
請求項７にかかる本考案は、請求項１ないし６のいずれか記載のコンクリート製品の吊り構造において、コンクリート製品の上面または底面の対角線上にある少なくとも一対の角部に該対角線上に長手方向を有する凹部が形成されることを特徴とする。
【考案の効果】
【００１４】
本考案の吊り構造によれば、コンクリート製品の外面または内面の所定箇所に凹部を設け、該凹部に橋架けするように且つ該凹部が設けられた外面または内面から外方または内方に突出しないように吊り金具をコンクリート製品打設時に一体に埋設固定してなるため、コンクリート製品を段積み保管状態から面倒な作業を経ることなく直ちにクレーン等のフックを引っ掛けて吊り上げることが可能である。
【考案を実施するための最良の形態】
【００１５】
図１はコンクリート製品としてのハンドホールスラブ（上段部）１を示し、その上面２の対角線上に対向する角部の２箇所に該対角線に沿って延長する長溝３が形成され、各長溝３を橋架けするように且つ上面２から上方に突出しないように吊り金具４が埋設固定されている。
【００１６】
図１と共に、吊り構造部分の上面図である図２、Ａ−Ａ矢示断面図である図３及びＢ−Ｂ矢示断面図である図４をも併せて参照して、吊り金具４は所定径のステンレス材などを折り曲げることにより頂点に屈曲部５を有するやや末広がりの略Ｕ字形に成形されており、一対の脚部６，６は実質的に長溝３の両側のコンクリート８，８に埋設され、屈曲部５のみが橋架け状に長溝３内に露出している。吊り金具４の脚部６の長さは長溝３の深さＤより大きい寸法とされている。脚部６，６の先端には各々台座７が設けられており、長溝３の溝底より下方位置においてコンクリート８，８内に埋設されている。
【００１７】
また、長溝３は、このハンドホールスラブ１を吊り上げるときにクレーン等のフックを吊り金具４の屈曲部５に引っ掛けやすいように、長手方向断面Ｂ−Ｂ（図４）においては少なくとも両角部が湾曲面形状９，９を有し、幅方向断面Ａ−Ａ（図３）においては底に向けて溝幅が狭くなる略台形形状を有するものとすることが好ましい。長溝３の深さＤは、このハンドホールスラブ１を吊り上げるときに用いるフックの大きさに依存して決定される。
【００１８】
このようにして上面２の対角線上の２箇所に長溝３，３を形成すると共に、各長溝３に橋架け状且つ上面２から突出しないように吊り金具４を埋設固定したハンドホールスラブ１の構成によれば、図５に示すように、クレーン等の先端のフック１０を各長溝３に挿入して吊り金具４に簡単に掛止することができ、これを対角線状の２箇所で行うことにより安定した姿勢でハンドホールスラブ１を吊り上げることができる。
【００１９】
長溝３及び吊り金具４はハンドホール１のコンクリート打設時に一体に形成・固定される。たとえば形成すべき長溝３の形状及び大きさに対応する抜きコッターを吊り金具４と共に型枠の所定箇所に配置した状態でコンクリートを流し込み、養生硬化したコンクリートから抜きコッターのみを抜き取ることによって長溝３を形成すると共に吊り金具４を上述のようにして埋設固定することができる。この場合、抜きコッターを分割式に構成したりゴムなどの弾性材料で形成して変形可能にしておくと、脱型後の抜き取り作業を容易に行うことができる。
【００２０】
抜きコッターの一例を図６に示す。この抜きコッター１１は、長溝３の上面２における開口寸法と略同一の平面寸法を有する軟質ゴム板１２の片面（下面）に２つの硬質ゴム体１３，１３を中央のスリット１４を介して接合した構成を有しており、これらの全体形状は長溝３の全体形状に略等しいものとされている。各硬質ゴム体１３のスリット１４に面する側面部分には、吊り金具４の（屈曲部５及び脚部６の）軸径の半分に相当する半円断面形状の溝（符号なし）が厚さ方向に貫通して形成されており、硬質ゴム体１３，１３を互いに遠去けるように軟質ゴム板１２を上反りに折り曲げることにより硬質ゴム体１３，１３の下端部間のスリット１４の隙間を拡げ、この隙間から吊り金具４を挿入した後に軟質ゴム板１２を平板状に弾性復帰させることにより、吊り金具４の屈曲部５がセットされた図６の状態を形成することができる。また、軟質ゴム板１２の中央には鉛直上方に突出するようにボルト軸１５が固着されると共に、一対の穴１６，１６が設けられている。
【００２１】
図６に示されるように吊り金具４がセットされた状態の抜きコッター１１を、ハンドホールスラブ１を型枠内でコンクリート打設する際に、ハンドホールスラブ上面２の対角線上の長溝３，３を形成すべき所定位置となるように配置する。この位置決めに当たっては、軟質ゴム板１２に固着したボルト軸１５を当て板を取り付け、この当て板を型枠の上端に押し当てるようにして固定すると良い。その後、型枠内にコンクリートを流し込み、養生硬化させた後に、当て板を外した上で抜きコッター１１を引き抜く。軟質ゴム板１２に形成した一対の穴１６，１６に治具を挿入すると抜きコッター１１の引き抜き作業を容易に行うことができる。これにより長溝３，３が所定箇所に形成されると共に、各長溝において、吊り金具４が、その脚部６，６及び台座７，７を打設コンクリート内に一体的に埋設固定されてその屈曲部５が長溝３を橋架けした状態が得られる。
【００２２】
図７はコンクリート製品としてのハンドホールベース（下段部）２０を天地逆にして地面においた状態を示し、その底面２１の対角線上の２箇所の角部に、前述と同様の長溝３，３が形成されると共に各長溝を橋架けするように且つ底面２１から突出しないように吊り金具４が埋設固定されている。長溝３，３及び吊り金具４，４の形状やその形成方法については前述と略同様であるので詳細を割愛する。底面２１の中央にあるのは水抜き用の穴３０である。
【００２３】
なお、図１及び図６の実施形態ではハンドホールスラブ１の上面２またはハンドホールベース２０の底面の対角線上の２箇所の角部に吊り金具４付きの長溝３を形成しているが、４箇所の角部すべてに吊り金具４付きの長溝３を形成しても良いことは言うまでもない。
【００２４】
ハンドホールベース２０については、図７に示すように底面２１に吊り金具４付きの長溝３が対角線上の２箇所の角部に形成されると共に、またはそれに代えて、図８〜図１０に示すように、その内面角部の面取り部２２に高さ方向に長い長溝２３が形成され、この長溝２３を橋架けするように且つ面取り部２２の内面から内方に突出しないように吊り金具２４が埋設固定される。吊り金具２４の形状は前述の実施形態における吊り金具４と同様であっても良いが、この実施形態では、頂部２５の両端から脚部２６，２６が延長し且つそれら脚部の先端に台座２７，２７が設けられた略Ｕ字形状に一体成形されている。既述の実施形態と同様に、一対の脚部２６，２６は実質的に長溝２３の両側のコンクリート２８，２８に埋設され、頂部２５のみが橋架け状に長溝２３内に露出している。吊り金具２４の脚部２６の長さは長溝２３の深さより大きい寸法とされている。
【００２５】
長溝２３の大きさ及び形状は、このハンドホールベース２０を吊り上げるとき（図１０）にクレーン等のフック１０を吊り金具２４に引っ掛けやすいように、長手方向断面においては下方の角部２９が湾曲面形状を有し（図９）、幅方向断面においては底に向けて溝幅が狭くなる略台形形状を有する（図８）ものとすることが好ましい。
【００２６】
なお、吊り金具２４付きの長溝２３は、ハンドホールベース２０の内面角部の対角線上の２箇所に少なくとも形成されるが、好ましくは四隅すべての面取り部２２に設けられる。
【００２７】
以上に本考案の吊り構造について幾つかの実施形態を挙げて説明したが、本考案はこれら実施形態に限定されるものではなく、実用新案登録請求の範囲に記載の範囲内において様々な実施形態を取り得る。たとえば、本考案の吊り構造は、ハンドホールのスラブ及び／またはベースに適用されるだけでなく、その他のボックス状の地中埋設箱にも適用可能であり、さらにより広く、筒ないし管状、柱状、棒状、錐状などのあらゆる形状のコンクリート製品についても、その上面、底面、内面などの所望の面部分に既述実施形態に示すような吊り金具付き長溝を形成してフックにより吊り上げ可能とすることができる。また、既述の実施形態では吊り金具を取付面に対して直角に埋設固定しているが、フックによる吊り上げ方向に沿うように傾斜させて埋設固定しても良い。
【００２８】
吊り金具の形状は必ずしも既述の実施形態に示されるものに限定されず、脚部６，６が下方に向けて徐々に開口するＵ字形状を有する吊り金具４（図３）や、脚部２６，２６が頂部２５の両端から直角に折り曲げ形成された比較的幅広のＵ字形状を有する吊り金具２４（図８）のような形状の他、図１１（ａ）〜（ｃ）に示すような各種形状の吊り金具を使用することも可能である。
【図面の簡単な説明】
【００２９】
【図１】本考案の一実施形態による吊り構造が適用されたハンドホールスラブを示す斜視図である。
【図２】図１における吊り構造部分の上面図である。
【図３】図１におけるＡ−Ａ矢示断面図である。
【図４】図１におけるＢ−Ｂ矢示断面図である。
【図５】この吊り構造に吊り上げ用のフックを掛止した状態の図４と同様のＢ−Ｂ矢示断面図である。
【図６】この吊り構造を有するハンドホールスラブをコンクリート打設により製造する際に用いる抜きコッターの一例を示す斜視図である。
【図７】同様の形状・構成の吊り金具がハンドホールベースの底面に適用された本考案の別の実施形態を示す斜視図である。
【図８】本考案のさらに別の実施形態としてハンドホールベースの内面角部の面取り部に設けられた吊り構造を示す横断面図である。
【図９】図８の実施形態の吊り構造部分を示す縦断面図である。
【図１０】この実施形態の吊り構造に吊り上げ用のフックを掛止した状態示す部分斜視図である。
【図１１】吊り金具の形状についての変形例を示す図である。
【符号の説明】
【００３０】
１  ハンドホール上部（スラブ）
２  角部上面
３  長溝（凹部）
４  吊り金具
５  屈曲部
６  脚部
７  台座
８  コンクリート
９  長溝の湾曲面
１０  フック
１１  抜きコッター
１２  軟質ゴム板
１３  硬質ゴム体
１４  スリット
１５  ボルト軸
１６  治具挿入用の穴
２０  ハンドホール下部（ベース）
２１  ハンドホールベースの底面
２２  ハンドホールベースの内面角部の面取り部
２３  長溝（凹部）
２４  吊り金具
２５  頂部
２６  脚部
２７  台座
２８  コンクリート
２９  長溝下部の湾曲面角部
３０  水抜き用穴
【図１】
0003115186.tif 000003
【図２】
0003115186.tif 000004
【図３】
0003115186.tif 000005
【図４】
0003115186.tif 000006
【図５】
0003115186.tif 000007
【図６】
0003115186.tif 000008
【図７】
0003115186.tif 000009
【図８】
0003115186.tif 000010
【図９】
0003115186.tif 000011
【図１０】
0003115186.tif 000012
【図１１】
0003115186.tif 000013